(57)【要約】【課題】製造の容易な透湿膜シートによる導水体を得ること、加湿に有効に働く面積を広く採り、加湿性能を高める。【解決手段】水は透過しないが水蒸気についてはこれを透過する透湿膜シートで通水性のある導水部材１８を挟んで対向する二辺を水密状態に融着し、他の対向する二辺は開放した導水体１６を枠状のスペーサ１７に保持させ、多数を積層連結して導水体１６による保水層と、スペーサ１７による送気層が交互に並ぶように構成し、導水体１６の開放した二辺の一辺側を給水皿に受容させ、他の一辺側を天部構造で被冠し、この天部構造には空気抜き構造を設ける。また、導水体１６の熱融着部分１９に数個の孔を設け、スペーサ１７にはこれらの孔に係合する位置決め突起２４を設ける。【選択図】          図７
2004225957.tif 000002
【特許請求の範囲】
【請求項１】
水は透過しないが水蒸気についてはこれを透過する二枚の透湿膜シートの間に通水性のある導水部材を挟んで対向する二辺を水密状態に融着し、他の対向する二辺は開放した加湿シート。
【請求項２】
水は透過しないが水蒸気についてはこれを透過する透湿膜シートで通水性のある導水部材を挟んで二つ折りにし、折曲げた辺に対向する辺を水密状態に融着し、他の対向する二辺は開放した加湿シート。
【請求項３】
請求項１又は請求項２のいずれかに記載の加湿シートであって、開放した対向する二辺が直線状の切口であり、それぞれが水の進入口と出口である加湿シート。
【請求項４】
請求項１又は請求項２のいずれかに記載の加湿シートであって、開放した対向する二辺が凹凸状の切口であり、水の進入口と出口である加湿シート。
【請求項５】
水は透過しないが水蒸気についてはこれを透過する透湿膜シートで通水性のある導水部材を挟んで対向する二辺を水密状態に融着し、他の対向する二辺は開放した加湿シートである導水体を枠状のスペーサに保持させ、多数を積層連結して前記導水体による保水層と、前記スペーサによる送気層が交互に並ぶように構成し、前記導水体の開放した二辺の一辺側を給水皿に受容させ、他の一辺側を天部構造で被冠し、この天部構造には空気抜き構造を設けた加湿器。
【請求項６】
請求項５に記載の加湿器であって、導水体の融着部に数個の孔を設け、スペーサにはこれらの孔に係合する位置決め突起を設けた加湿器。
【請求項７】
室内の空気を取入れ室外へ排気するための排気通路と、室外の空気を取入れ室内へ給気するための給気通路とを本体箱体内に画成し、その給気通路の一部を熱交換器の二次通路と加湿器の通路で構成し、前記排気通路の一部を前記熱交換器の一次通路で構成し、前記給気通路には前記熱交換器の二次通路を経て前記加湿器を通過する給気流を形成する給気用送風機を設け、前記排気通路には前記熱交換器の一次通路を通過する排気流を形成する排気用送風機を設けてなり、その加湿器は、水は透過しないが水蒸気についてはこれを透過する透湿膜シートで通水性のある導水部材を挟んで対向する二辺を融着し、他の対向する二辺は開放した導水体を枠状のスペーサに保持させ、多数を積層連結して前記導水体による保水層と、前記スペーサによる送気層が交互に並ぶように構成し、前記導水体の開放した二辺の一辺側を給水皿に受容させ、他の一辺側を天部構造で被冠した構成である換気装置。
【発明の詳細な説明】
【０００１】
【発明の属する技術分野】
本発明は、自然蒸発式の加湿器及びそれを構成する加湿シート並びに加湿器を組込んだ換気装置に関するものである。
【０００２】
【従来の技術】
自然蒸発式の加湿器としては、シート状の多孔質材料よりなる導水部材を、水は透過しないが水蒸気は透過する透湿膜により形成した袋状の膜体内に封入し、両者の結合した扁平な導水体と、この導水体の一面に互いに平行な複数の通気路を構成する複列のリブと、このリブに導水体に給水する給水部材を接合し、リブによる送気層と導水体による保水層とが一層おきの層構造をなすように構成したものがある。（例えば、特許文献１参照）。
【０００３】
【特許文献１】
特開平８―２１９５０５号公報（第１頁〜第２頁、図２，図３）
【０００４】
【発明が解決しようとする課題】
上記した従来の加湿器においては、透湿膜の全周を熱融着し、導水部材を封入しているため、透湿膜の角部においては二工程の加熱が行なわれることになる。このため、導水体の角部が熱による損傷を受け易く、工程管理が難しく生産性も良くない。また、導水体の保水層形成面に給水口や排水口を設けているため、この部分が給水部材の接合により、給水口及び排水口の径よりやや大きな寸法の幅で閉止されることになり、加湿機能に寄与しない無効部分となってしまう。従って、高性能化を図るには、無効部分を補足する大きさを確保する必要があり、加湿器の大型化を招いている。
【０００５】
本発明は、係る従来の問題点を解決するためになされたものであって、その課題とするところは、透湿膜シートによる製造の容易な加湿シートを得ることであり、加湿に有効に働く面積を広く採ることができる加湿シートを得ることであり、長寿命な加湿シートを得ることである。そして、その加湿シートを導水体として使った製造の容易なコンパクトで高性能の加湿器を得ることや、コンパクトな加湿機能付きの換気装置を得ることも課題としている。
【０００６】
【課題を解決するための手段】
前記課題を達成するために本発明は、水は透過しないが水蒸気についてはこれを透過する二枚の透湿膜シートの間に通水性のある導水部材を挟んで対向する二辺を水密状態に融着し、他の対向する二辺は開放する手段を採用する。
【０００７】
前記課題を達成するために他の発明は、水は透過しないが水蒸気についてはこれを透過する透湿膜シートで通水性のある導水部材を挟んで二つ折りにし、折曲げた辺に対向する辺を水密状態に融着し、他の対向する二辺は開放する手段を採用する。
【０００８】
前記課題を達成するためにさらに他の発明は、水は透過しないが水蒸気についてはこれを透過する透湿膜シートで通水性のある導水部材を挟んで対向する二辺を水密状態に融着し、他の対向する二辺は開放した加湿シートである導水体を枠状のスペーサに保持させ、多数を積層連結して導水体による保水層と、スペーサによる送気層が交互に並ぶように構成し、導水体の開放した二辺の一辺側を給水皿に受容させ、他の一辺側を天部構造で被冠し、この天部構造には空気抜き構造を設ける手段を採用する。
【０００９】
前記課題を達成するためにさらに他の発明は、室内の空気を取入れ室外へ排気するための排気通路と、室外の空気を取入れ室内へ給気するための給気通路とを本体箱体内に画成し、その給気通路の一部を熱交換器の二次通路と加湿器の通路で構成し、排気通路の一部を熱交換器の一次通路で構成し、給気通路には熱交換器の二次通路を経て加湿器を通過する給気流を形成する給気用送風機を設け、排気通路には熱交換器の一次通路を通過する排気流を形成する排気用送風機を設けてなり、その加湿器は、水は透過しないが水蒸気についてはこれを透過する透湿膜シートで通水性のある導水部材を挟んで対向する二辺を融着し、他の対向する二辺は開放した導水体を枠状のスペーサに保持させ、多数を積層連結して導水体による保水層と、スペーサによる送気層が交互に並ぶように構成し、導水体の開放した二辺の一辺側を給水皿に受容させ、他の一辺側を天部構造で被冠する手段を採用する。
【００１０】
【発明の実施の形態】
図１は本実施の形態の加湿機能付き換気装置を示した構成図、図２と図３はその加湿器の構成を示した斜視図と断面図、図４と図５は、それぞれ加湿シートである導水体の斜視図と断面図、図６はスペーサを示す斜視図、図７はスペーサと導水体の組着け状態を示す断面図、図８は導水体の端面形状を示す平面図、図９も導水体の端面形状を示す平面図、図１０も導水体の端面形状を示す平面図、図１１は、他の導水体を示す斜視図である。
【００１１】
図１に示すこの加湿機能付き換気装置は、給排気流間で連続的に熱交換させながら換気を行なう熱交換換気装置に加湿器１を組込み、室内へ供給する給気流２を加湿して加湿雰囲気の気流にするものである。加湿機能付き換気装置の本体箱体３内には、室外の新鮮な空気を室内へ供給するための給気通路４と、室内の空気を室外へ排気するための排気通路５とが仕切壁等により全経路において独立状態に画成されている。排気通路５には排気流６を形成する排気用送風機７が、また、給気通路４には給気流２を形成する給気用送風機８が組込まれている。給気通路４と排気通路５のそれぞれの一部は内蔵された積層型で六面体の熱交換器９の二次通路と一次通路でそれぞれ構成され、排気流６と給気流２との間で連続的な熱交換が可能に構成されている。熱交換器９に近い給気通路４には、給気通路４の当該部分を横断する状態に複数個（図示のものは二個）の加湿器１が列状に組込まれている。
【００１２】
加湿器１は、図２，３に示すように熱交換器９より下流側の給気通路４の下部に設置された給水皿１０上に直接設置されている。給水皿１０には加湿用の水が給水口１１から給水系により供給される。各加湿器１の天部構造１２には、その上面に空気抜き構造１３が設けられている。この構成を採ることにより、空気抜きチューブを透湿体と一体に巻くやりかたより製造工程が簡略になり製造し易くなる。
【００１３】
加湿器１自体は自然蒸発式であり、図３に示すように同形同寸法の多数の加湿機能体が複数枚積層されて、図２に示すような六面体状に構成されている。加湿器１には空気を通す送気層１４と水を貯える保水層１５とが一層おきに形成されている。各加湿機能体は、保水層１５を構成する加湿シートでもある導水体１６と送気層１４を構成する枠状のスペーサ１７とから構成されている。保水層１５を構成する導水体１６は、剛直性と通水性を持つ三次元多孔板よりなる導水部材１８を、水は透過しないが水蒸気についてはこれを透過する透湿膜シートの間に挟み、両者を結合した複合シート構造の長方形や正方形の扁平部材として構成されている。導水部材１８は、厚さ２ｍｍで空孔率５０％の親水性ポリエチレンの焼結多孔板により構成され、透湿膜シートは厚さ５０μのポリテトラフルオロエチレンシートやポリウレタンにより構成されている。
【００１４】
導水体１６は、図４や図５に示すように二枚の透湿膜シートの間に導水部材１８を挟み、長手方向の対向する二辺縁を水密状態に熱融着し、所定の長さに切断して作られている。従って、導水体１６の対向する二辺は切口として開放している。このように、熱融着部分１９を直線状の二辺縁とすることにより、二度加熱する部分がなく熱損傷を受けないので、工程管理も楽で生産性の良い導水体１６が得られる。導水体１６の熱融着部分１９には、適当な間隔で数個の孔２０が開けられている。導水体１６の開放部分の一方が水進入口２１とされ、他方が出口２２とされる。従って、導水体１６の略全面が送気層１４に臨み、加湿機能面として加湿に機能することになり、コンパクトで高性能の加湿器１となる。
【００１５】
送気層１４を構成するスペーサ１７は、図６に示すように塩化ビニルにより長方形の梯子形に構成され、実質的な送気層１４を形成する複数の細いリブを備えている。スペーサ１７の二本の縦枠２３には、導水体１６の熱融着部分１９に開けられた孔２０に一致する位置に位置決め突起２４が突出していて、この位置決め突起２４に導水体１６の孔２０を係合させることにより導水体１６がスペーサ１７に位置決めされ、ずれたりせずに正確に組付けることができる。
【００１６】
導水体１６の片面に、上記のようなスペーサ１７が接合されてなる加湿機能体を、各々のスペーサ１７同士が向き合わないようにして整合させ接着して複数枚を積層し、導水体１６が縦方向に並列に並ぶようにすることによって図４に示すような加湿器１が得られる。この加湿器１は、構造上極めて軽量であり、加湿能力も高くコンパクトな構成であるため、換気装置自体も小型になる。
【００１７】
導水体１６の下上の切口である水進入口２１と出口２２は、直線状でも有効な加湿面積が十分確保できるが、図８や図９並びに図１０に示すように凹凸状２５や波形状２６或いは鋸刃状２７にすることもできる。こうした切口の構造を採ることにより、水進入口２１の面積がより広くなり、給水に含まれる溶存物質が析出した場合でも導水部材１８に析出できる面積が増加するため、目詰まりし難く加湿器１の寿命を長くすることができる。
【００１８】
また、導水体１６を図１１に示すように透湿膜シートで導水部材１８を挟んで二つ折りにし、折曲げた辺に対向する辺を水密状態に熱融着し、他の対向する二辺は開放した構造とすれば、熱融着部分１９は一箇所になり、より生産性の良いものとなる。なお、透湿膜シートを多孔質膜とした場合には、空気が透湿膜シートから抜けるため、出口側の切口は熱融着により封止してもよい。
【００１９】
【発明の効果】
本発明によれば、透湿膜シートによる製造の容易な高性能の加湿シートが得られる。
【００２０】
また、他の発明によれば、製造の容易なコンパクトで高性能の加湿器が得られる。
【００２１】
また、さらに他の発明によれば、コンパクトな加湿機能付きの換気装置が得られる。
【図面の簡単な説明】
【図１】実施の形態の加湿機能付き換気装置を示す構成図である。
【図２】実施の形態の加湿器の構成を示す斜視図である。
【図３】実施の形態の加湿器の構成を示す断面図である。
【図４】実施の形態の加湿器の加湿シートないしは導水体を示す斜視図である。
【図５】実施の形態の加湿器の加湿シートないしは導水体の断面図である。
【図６】実施の形態の加湿器のスペーサを示す斜視図である。
【図７】実施の形態の加湿器のスペーサと導水体の組付け状態を示す断面図である。
【図８】実施の形態の加湿器の他の導水体を示す平面図である。
【図９】実施の形態の加湿器の他の導水体を示す部分拡大平面図である。
【図１０】実施の形態の加湿器の他の導水体を示す部分拡大平面図である。
【図１１】実施の形態の加湿器のさらに他の導水体を示す斜視図である。
【符号の説明】
１  加湿器、  ２  給気流、  ４  給気通路、  ５  排気通路、  ６  排気流、  ７  排気用送風機、  ８  給気用送風機、  ９  熱交換器、  １０  給水皿、  １２  天部構造、  １３  空気抜き構造、  １４  送気層、  １５  保水層、  １６  導水体、  １７  スペーサ、  １８  導水部材、  １９  熱融着部分、  ２０  孔、  ２１  水進入口、  ２２  出口、  ２４  位置決め突起、  ２５  凹凸状。
【図１】
2004225957.tif 000003
【図２】
2004225957.tif 000004
【図３】
2004225957.tif 000005
【図４】
2004225957.tif 000006
【図５】
2004225957.tif 000007
【図６】
2004225957.tif 000008
【図７】
2004225957.tif 000009
【図８】
2004225957.tif 000010
【図９】
2004225957.tif 000011
【図１０】
2004225957.tif 000012
【図１１】
2004225957.tif 000013